(57)【要約】【課題】蓋を閉じている際の気密性を確保できると共に蓋を容易に開けることができる化粧料容器を提供する。【解決手段】容器本体１及び蓋の２後端側を結合するヒンジ３を支点として蓋２が閉方向に回動され、蓋２の前端側の回動部１５が一方向に回動されると、回動部１５に設けた回動部係合部２４が容器本体側係合部２３に係合し蓋２が閉じられると共に、容器本体１の凹部５の周囲の容器本体側密着部１３と蓋側密着部１４が互いに密着して内部を封止し、これにより気密性の確保を可能とする。また、蓋２の回動部１５が逆方向に回動されると、回動部係合部２４と容器本体側係合部２３の係合が解除され、続けて回動部１５が逆方向に回動されると、回動部１５に設けた回動部開動作補助部２７が容器本体側開動作補助部２６に当接し、てこの原理により、弱い力で蓋２を押し上げることを可能とする。【選択図】図６
2015051192.tif 000002
【特許請求の範囲】
【請求項１】
化粧料を収容可能な収容部を備えた容器本体と、前記容器本体に対して開閉可能とされ前記容器本体内を気密に保つ蓋と、を具備した化粧料容器において、
前記容器本体の後端側と前記蓋の後端側とを結合し前記容器本体に対する前記蓋の開閉を行うためのヒンジと、
前記収容部の周囲及びこれに対応する前記蓋の部分にそれぞれ設けられ、前記容器本体に対して前記蓋が閉じられると互いに密着して内部を封止する少なくとも一方が弾性体より成る容器本体側密着部及び蓋側密着部と、を備え、
前記容器本体又は前記蓋の何れか一方は、その前端側に、前端縁に沿う一軸回りに回動可能な回動部を有し、
前記回動部は、一方向に回動されると、前記容器本体又は前記蓋の他方に設けられた係合部に係合し前記蓋を閉とする一方で、その状態から逆方向に回動されると前記係合部との係合を解除する回動部係合部と、
前記係合部同士の係合解除後に前記回動部が逆方向へさらに回動されると、前記容器本体又は前記蓋の他方に設けられた開動作補助部に当接し、てこの原理で前記蓋を押し上げる回動部開動作補助部と、を含むことを特徴とする化粧料容器。
【請求項２】
前記回動部は、前記蓋に設けられていることを特徴とする請求項１記載の化粧料容器。
【請求項３】
前記密着部同士は、前記収容部の径方向に密着していることを特徴とする請求項１又は２記載の化粧料容器。
【請求項４】
前記蓋が開から閉にされる際に、前記回動部が下方へ回動しないように留めるストッパを備えることを特徴とする請求項１〜３の何れか一項に記載の化粧料容器。
【発明の詳細な説明】
【技術分野】
【０００１】
本発明は、化粧料容器に関する。
【背景技術】
【０００２】
従来、粉体化粧料を収容した所謂コンパクト容器と呼ばれる化粧料容器が知られている。この化粧料容器において、揮発性に富む粉体化粧料を用いる場合には、容器内の気密を確保することが必要とされる。このような気密を保つ化粧料容器として、以下の特許文献１、２に記載のものが知られている。
【０００３】
特許文献１、２に記載の化粧料容器は、化粧料が充填された化粧皿を収容する身容器と、この身容器の後部に開閉可能に枢着された蓋と、を備え、蓋の前部に係合部材が回動可能に枢着されると共に、身容器の前部下面に係合部材と係合するフック片が設けられ、使用者が蓋を閉じていき係合部材を回動しフック片に係合することによって、蓋を身容器に強固に密着固定できると共に、化粧皿の周縁部の上面に対して蓋内面の封止用の弾性体が密着し、弾性体より内側の領域（化粧皿）の気密を確保できるようになっている。
【０００４】
また、上記化粧料容器では、係合部材とフック片の係合を解除し得るレバーが係合部材に回動自在に枢着されており、使用者がレバーを引く又は押して回動し、当該レバーの一部を身容器に押し付け係合部材を回動させることによって、レバーの作用で係合部材とフック片の係合を容易に解除できるようになっている。
【先行技術文献】
【特許文献】
【０００５】
【特許文献１】特許３３０５８９０号
【特許文献２】特許３３１５８１８号
【発明の概要】
【発明が解決しようとする課題】
【０００６】
ここで、上記化粧料容器にあっては、蓋が閉じられ係合部材とフック片が係合している状態では、封止用の弾性体が化粧皿と密着していると共に、弾性体より内側の領域は負圧となっている（減圧状態となっている）。従って、上述のようにレバーの作用により係合部材とフック片の係合解除は容易にできるが、この係合解除に続いて使用者が蓋を引き上げ開けようとしても、蓋がなかなか開かないという問題がある。
【０００７】
そこで、本発明は、蓋を閉じている際の気密性を確保できると共に、蓋を容易に開けることができる化粧料容器を提供することを目的としている。
【課題を解決するための手段】
【０００８】
本発明による化粧料容器は、化粧料を収容可能な収容部を備えた容器本体と、容器本体に対して開閉可能とされ容器本体内を気密に保つ蓋と、を具備した化粧料容器において、容器本体の後端側と蓋の後端側とを結合し容器本体に対する蓋の開閉を行うためのヒンジと、収容部の周囲及びこれに対応する蓋の部分にそれぞれ設けられ、容器本体に対して蓋が閉じられると互いに密着して内部を封止する少なくとも一方が弾性体より成る容器本体側密着部及び蓋側密着部と、を備え、容器本体又は蓋の何れか一方は、その前端側に、前端縁に沿う一軸回りに回動可能な回動部を有し、回動部は、一方向に回動されると、容器本体又は蓋の他方に設けられた係合部に係合し蓋を閉とする一方で、その状態から逆方向に回動されると係合部との係合を解除する回動部係合部と、係合部同士の係合解除後に回動部が逆方向へさらに回動されると、容器本体又は蓋の他方に設けられた開動作補助部に当接し、てこの原理で蓋を押し上げる回動部開動作補助部と、を含むことを特徴としている。
【０００９】
このような化粧料容器によれば、容器本体及び蓋の後端側を結合するヒンジを支点として蓋が閉方向に回動され、容器本体又は蓋の何れか一方に設けられた回動部が一方向に回動されると、回動部に設けられた回動部係合部が、容器本体又は蓋の他方に設けられた係合部に係合し蓋が閉じられると共に、容器本体の収容部周囲の容器本体側密着部と蓋側密着部が互いに密着して内部が封止される。このため、蓋を閉じている際の気密性を確保できる。また、回動部が逆方向に回動されると、係合部同士の係合が解除され、続けて回動部が逆方向に回動されると、回動部に設けられた回動部開動作補助部が、容器本体又は蓋の他方に設けられた開動作補助部に当接し、てこの原理により、弱い力で蓋を押し上げることができる。このため、蓋を容易に開けることができる。
【００１０】
ここで、回動部は、蓋に設けられているのが好ましい。このような構成を採用した場合、使用者が回動部を持って上方に回動させることで係合部同士の係合を解除でき、そのまま回動部を持って回動を続けることで蓋を押し上げることができ、引き続き回動部を持って回動を続けることでヒンジを支点として蓋を開けることができる。すなわち、上記一連の動作を、回動部を持ち替えることなく行うことができる。
【００１１】
また、密着部同士が上下方向に密着する構成では、蓋を閉じた状態で蓋と容器本体の係合部同士が係合する箇所とそれ以外の箇所で蓋の押圧による上下方向の面圧にばらつきが生じ、密着部同士の密着性が低下し、その結果、気密性が低下する虞がある。そこで、密着部同士が収容部の径方向に密着する構成を採用することで、蓋の押圧による上下方向の面圧のばらつきに関係なく、密着部同士の密着性を径方向に確保でき、その結果、気密性を確保できる。また、このように密着部同士が径方向に密着していると、蓋を開ける際に、蓋側密着部が容器本体側密着部に対して径方向に密着しながら上方に移動するため、密着部同士の密着が直ぐには解けないが、上述のように、てこの原理を利用して蓋を押し上げるため、蓋を容易に開けることができる。
【００１２】
また、蓋を閉じるときに回動部が下方に垂下していると、回動部が容器本体と蓋との間に介在し、蓋を閉じる際の妨げになる。そこで、蓋が開から閉にされる際に、回動部が下方へ回動しないように留めるストッパを備えていると、当該ストッパにより回動部が下方へ回動しないように留められる。これにより、回動部が容器本体と蓋との間に入り込み蓋を閉じる際の妨げになるということはなく、蓋を容易に閉じることができる。
【発明の効果】
【００１３】
このように本発明によれば、蓋を閉じている際の気密性を確保できると共に、蓋を容易に開けることができる。
【図面の簡単な説明】
【００１４】
【図１】本発明の実施形態に係る化粧料容器を示す斜視図であり、蓋を閉じた状態を示す斜視図である。
【図２】図１の状態から蓋を開けた状態を示す斜視図である。
【図３】図２中の蓋を示す斜視図であり、回動部を取り外した状態を示す斜視図である。
【図４】図２中の回動部を示す斜視図である。
【図５】化粧料容器の蓋が閉とされ係合部同士が係合している状態を示す断面図である。
【図６】図５に示す状態から回動部を回動し係合部同士の係合を解除した状態を示す断面図である。
【図７】図６に示す状態からさらに回動部を回動し回動部開動作補助部により蓋を押し上げている状態を示す断面図である。
【図８】図５の状態でのストッパの様子を拡大して示す断面図である。
【図９】図６の状態でのストッパの様子を拡大して示す断面図である。
【図１０】図７の状態でのストッパの様子を拡大して示す断面図である。
【発明を実施するための形態】
【００１５】
以下、添付図面を参照しながら、本発明の実施形態について詳細に説明する。図１及び図２は、化粧料容器を示す各斜視図、図３及び図４は、蓋を示す各斜視図、図５〜図７は、化粧料容器の蓋の回動部を回動させている各状態図、図８〜図１０は、図５〜図７に対応するストッパの各状態図であり、本実施形態の化粧料容器は、化粧料を収容し当該化粧料を顔等に施すためのコンパクト容器である。
【００１６】
図１及び図２に示すように、化粧料容器１００は、化粧料Ｍを収容する容器本体１と、この容器本体１を上方から覆い容器内を気密に保つための蓋２と、を備える。これらの容器本体１及び蓋２は各々、例えばＡＢＳ等の樹脂より形成され矩形状を呈し、図２に示すように、容器本体１の後端側と蓋２の後端側とがヒンジ３（図５参照）により結合されることで、容器本体１に対して蓋２が開閉可能とされる。
【００１７】
容器本体１は、前側及びこれより後側に、下方に凹む凹部４，５をそれぞれ備える。これらの凹部４，５は、容器本体１の前端縁及び後端縁に沿う幅方向に十分に延びており、前側の凹部４には、塗布具６が収容される。塗布具６は、その両端に、化粧料Ｍを付着させ当該化粧料Ｍを顔に塗布するための塗布体を備える。
【００１８】
後側の凹部５は、化粧料Ｍを収容するための収容部であり、ここでは、化粧料Ｍを充填した中皿７，７が収容される。
【００１９】
化粧料Ｍは、揮発性に富む化粧料であり、ここでは、粉体化粧料が用いられる。なお、化粧料Ｍとして、固形化粧料や半固形化粧料を用いることもでき、さらには、練り状やジェル状の化粧料等を用いることもできる。
【００２０】
凹部５を取り囲む周囲には、図２及び図５に示すように、平面視矩形環状の凹部８が形成され、凹部８内に平面視矩形環状の弾性体９が配置される。弾性体９は、ここでは、特に好ましいとして、ゴムパッキンとされているが、例えば、発泡体であるスポンジ等の弾性体としても良く、密着により高い気密性を保てる弾性体とするのが好ましい。
【００２１】
弾性体９は、図５に示すように、その下端部において平面視矩形環状に外側に突出する鍔部１０を備える。また、弾性体９の上部外周面には、平面視矩形環状に外側に突出する凸部（容器本体側密着部）１３が、蓋２を閉じたときに当該蓋２裏面の樹脂突起（蓋側密着部）１４に径方向に密着するためのものとして設けられる。
【００２２】
そして、弾性体９は、その鍔部１０の底面が、容器本体１の凹部８の底面に当接すると共に、その鍔部１０の上面が、容器本体１に設けられ鍔部１０上に位置するように内側に平面視矩形環状に張り出す凸部１１に対面し、さらに、弾性体９の内周面が、容器本体１の凹部５と凹部８との間に形成された平面視矩形環状の凸部１２の外周面に密着することで、容器本体１に対して装着される。
【００２３】
また、容器本体１の凹部８内の上部で弾性体９より外周側には、蓋２を閉じたときに当該蓋２裏面の樹脂突起１４が進入するための隙間Ｓが設けられる。
【００２４】
また、容器本体１の前端部において、両端部を除く位置には、図１、図２、図５〜図７に示すように、蓋２を閉じたときに当該蓋２の前端部中央の回動部１５が回動により進入するように、容器本体１の奥行方向（幅方向に直交する前後端方向）に凹み、前方、上方及び下方に開放された凹部１６が形成される。この幅方向に延びる凹部１６の両端は、蓋２を閉じたときに回動部１５の両端部１８が回動によりそれぞれ進入するように凹む凹部１７（図２参照）とされており、この凹部１７，１７同士の間は、蓋２を閉じたときに回動部１５の両端部１８，１８を除く中央部１９が回動により進入するように凹む凹部２０とされている。
【００２５】
この凹部２０を形成する前端面には、当該前端面の上下方向の略中央から前方に向かって突出する突出部２１が幅方向に延びるように形成されている。この突出部２１は、回動部１５の中窓２２に進入するものである。そして、突出部２１の下面には、突条（容器本体側係合部）２３が幅方向に延びるように設けられる。この突条２３は、蓋２を閉じたときに当該蓋２の回動部１５の突条（回動部係合部）２４が係合するためのものとして設けられる。また、容器本体１において前側の凹部４より前側に位置すると共に突出部２１より後側に位置する部分の上面２６は、回動部１５の回動部開動作補助部である凸部２７が当接する容器本体側開動作補助部とされている。
【００２６】
なお、容器本体１の凹部１６に幅方向に隣接する半円状の凹部２８（図２参照）は、蓋２を閉じたときに、当該蓋２の支持部２９を構成する受部３０が進入するための凹部である。
【００２７】
蓋２は、容器本体１の凹部５の周囲に対応する位置、すなわち弾性体９に対応する位置に、蓋２の裏面（内面）から突出する樹脂突起１４を矩形環状に備える。この樹脂突起１４は蓋２と一体成形され、蓋２を閉じたときに気密を確保すべく、弾性体９の凸部１３に径方向外側から密着する。
【００２８】
また、蓋２の矩形環状を成す樹脂突起１４の内側には、顔を映すための鏡４９が固定される。
【００２９】
蓋２の前端側には、前端縁に沿う一軸回りに回動可能で容器本体１の凹部１６とほぼ同一幅の回動部１５が設けられると共に、この回動部１５を回動可能に支持する支持部２９が設けられる。
【００３０】
図２及び図３に示すように、支持部２９は、幅方向に離間して配置され、回動部１５を両端側で支持する軸受の機能を果たすものである。この支持部２９は、蓋２の前端縁に沿う軸心を有する円板状を呈し蓋２と一体成形された受部３０と、この受部３０，３０の対向面同士から短尺に突出し回動部１５の端部１８を支持する回動支点としての軸部３１と、を備える。
【００３１】
図８〜図１０に示すように、軸部３１は断面円形に構成され、その外周面の一部に、外方に断面円弧状に突出し軸線方向に延びる凸部３２を備える。この凸部３２は、回動部１５の凹部３３に周方向に係合するためのものである。
【００３２】
図２、図４、図８〜図１０に示すように、回動部１５は、その端部１８の両方に、軸部３１が進入する断面略円形の開口５０，５０を備える。この開口５０には、軸部３１の凸部３２が周方向に係合するための断面円弧状の凹部３３が設けられる。そして、これらの回動部１５の凹部３３及び軸部３１の凸部３２により、回動部１５の姿勢を所定に留めるためのストッパが構成される。
【００３３】
また、開口５０には、蓋２の軸部３１が径方向から開口５０に進入するのを可能とすべく、当該開口５０に連設され端部１８の外方に開放される通路５１が接続される。通路５１は、蓋２が閉じている状態（図５及び図８参照）において、蓋２の後端側に向かうように開放されている。図４及び図８に示すように、通路５１の大きさ（図示上下方向の開口高さ）は、開口５０及び軸部３１の直径より多少小さくされている。そして、この通路５１を通して軸部３１が開口５０の径方向外方から当該開口５０に押し込まれるようにして進入配置される。
【００３４】
また、図２、図４〜図７に示すように、回動部１５の両端部１８，１８を除く中央部１９には、蓋２を閉じたときの奥行き方向（図５の左右方向）に貫通し、容器本体１の突出部２１が進入する中窓２２を備える。
【００３５】
回動部１５の中窓２２を形成し回動支点３１より遠い側の内面には、回動部１５が軸部３１を回動支点として回動した際に、容器本体１の突出部２１の突条２３に係合する突条２４が、幅方向に延びるように形成される。これらの突条２３，２４同士が係合する係合幅は、蓋２及び容器本体１の前端縁の７割程度とされている。なお、ここでは、係合部は、特に好ましいとして、突条とされているが、他の構成であっても勿論良い。
【００３６】
また、回動部１５の回動支点側とは反対側の端部の外面には、回動部１５を回動すべく例えば人差し指や中指等の指を引っ掛けるための凸部３４が幅方向に延びるように設けられる。
【００３７】
さらに、回動部１５の回動支点側の端部には、蓋２を閉じたときの当該蓋２の後端側（図５の右側）に向かって突出し幅方向に延びる凸部２７が設けられる。この凸部２７は、蓋２を開けるべく回動部１５を回動し突条２３，２４同士の係合が解除された後に、容器本体１の上面２６に当接する。また、凸部２７の先端部は、延在方向に直交する断面が丸味を帯びたＲ形状とされている。
【００３８】
そして、回動部１５は、蓋２が開いている状態（図２参照）において、図１０に示すように、その凹部３３が軸部３１の凸部３２に周方向に係合し、蓋２に沿うようにして蓋２の前端縁から前方に突出する姿勢に保たれる（図２及び図７参照）。
【００３９】
次に、このような構成を有する化粧料容器１００の作用について説明する。先ず、図１に示すように、蓋２が閉じられている状態では、図５に示すように、回動部１５は蓋２に対して略９０°下方に回動されており、容器本体１の突出部２１が回動部１５の中窓２２に進入し容器本体１の突条２３と回動部１５の突条２４が係合した状態にある。このとき、図８に示すように、蓋２の軸部３１の凸部３２は通路５１内に位置し、この凸部３２に対して回動部１５の凹部３３は図示反時計回りにずれた位置にあり、周方向には係合していない。
【００４０】
この状態では、図１及び図５に示すように、容器本体１の突出部２１は中窓２２内から外方に突出せず、回動部１５の外側の面は容器本体１及び蓋側２の前端面より外方に突出しない外観を呈する。
【００４１】
そして、この状態では、図５に示すように、容器本体１の弾性体９の凸部１３と蓋２の樹脂突起１４とが径方向に密着し、弾性体９の凸部１３より内側の領域（凹部５）の気密が確保される。
【００４２】
次いで、使用する場合には、使用者は、指で回動部１５の凸部３４を持ち（指を凸部３４に掛け）、突条２３，２４同士の係合力に抗して手前側に引いていく。すると、軸部３１を回動支点とした回動部１５の回動により、図６に示すように、突条２３，２４同士の係合が解除されると共に、図９に示すように、図示時計回りに回動する回動部１５の開口５０に対して蓋２の軸部３１の凸部３２が多少潰れながら進入していく。
【００４３】
さらに、回動部１５の回動を続けると、図６に示すように、回動部１５の凸部２７が、上面２６に当接し、さらに、回動部１５の回動を続けると、軸部３１を支点、回動部１５の凸部３４を力点、回動部１５の凸部２７を作用点したてこの原理により、弱い力で蓋２を押し上げることができる。
【００４４】
また、このとき、樹脂突起１４が弾性体９の凸部１３に対して径方向に密着しながら上方に移動していく。
【００４５】
さらに、回動部１５の回動を続けると、図７に示すように、樹脂突起１４と弾性体９の凸部１３との密着が解除されていくと共に、蓋２が開いていき、さらに、回動部１５の回動を続けると、回動部１５は、蓋２に沿うようにして蓋２の前端縁から前方に突出する開姿勢となる。
【００４６】
このとき、図１０に示すように、図示時計回りに回動する回動部１５の凹部３３に対して蓋２の軸部３１の凸部３２が進入して周方向に係合し、回動部１５の上記開姿勢が保たれる。
【００４７】
そして、さらに、回動部１５の回動を続けることにより、蓋２をヒンジ３を回動支点とした開方向である上方に回動させ、図２に示すように、蓋２を最大に開いた状態にし、塗布具６を用いて化粧料Ｍを塗布に供する。
【００４８】
一方、化粧料Ｍの塗布を終え蓋２を閉じる場合には、使用者は、上記蓋２を開ける操作とは逆の操作を行う。この蓋２を閉じていく際には、回動部１５はストッパ３２，３３により下方に回動することなく、上記開姿勢を維持する。
【００４９】
そして、回動部１５が開姿勢を維持したまま蓋２を閉方向に回動していくと、図７に示すように、回動部１５の凸部２７が容器本体１の上面２６に当接する。この状態になったら、回動部１５を、ストッパ３２，３３の係合力より大きい力で図示反時計回りに回動する。すると、ストッパ３２，３３の係合が解除されて回動部１５はさらに回動し、このとき、樹脂突起１４が弾性体９の凸部１３に対して径方向に密着しながら下方に移動していく。
【００５０】
なお、蓋２を閉方向に回動していき、図７に示すように、回動部１５の凸部２７が容器本体１の上面２６に当接したら、使用者は、蓋２を下方にぐっと押すようにしても良い。このようにすると、凸部２７の先端部はＲ形状とされているため、ストッパ３２，３３の係合力に抗して回動部１５が自然と下方に回動し、図６に示す状態となる、従って、使用者に対して、次の回動部１５の回動操作や回動方向を分かりやすく示すことができる。
【００５１】
そして、さらに、回動部１５の回動を続けると、図５に示すように、回動部１５は蓋２に対して略９０°下方に回動され、容器本体１の突出部２１が回動部１５の中窓２２に進入して突条２３，２４同士が係合し、これにより、蓋２は閉じられた状態になると共に、樹脂突起１４が弾性体９の凸部１３に対して所定位置で径方向に密着し、弾性体９の凸部１３より内側の領域（凹部５）の気密が確保される。
【００５２】
このように、本実施形態においては、容器本体１及び蓋２の後端側を結合するヒンジ３を支点として蓋２が閉方向に回動され、蓋２の前端側の回動部１５が一方向（図７の反時計回り）に回動されると、回動部１５に設けられた回動部係合部である突条２４が容器本体側係合部である突条２３に係合し蓋２が閉じられると共に、容器本体１の凹部５の周囲の弾性体９の容器本体側密着部である凸部１３と蓋２の蓋側密着部である樹脂突起１４が互いに密着して内部が封止されるため、蓋２を閉じている際の気密性を確保できる。
【００５３】
また、蓋２の回動部１５が逆方向（図５の時計回り）に回動されると、突条２３，２４同士の係合が解除され、続けて回動部１５が逆方向に回動されると、回動部１５に設けられた回動部開動作補助部である凸部２７が容器本体側開動作補助部である上面２６に当接し、てこの原理により、弱い力で蓋２を押し上げることができるため、気密解除がなされ蓋を容易に開けることができる。
【００５４】
また、本実施形態においては、回動部１５が蓋２に設けられているため、使用者が回動部１５を持って上方に回動させることで係合部２３，２４同士の係合を解除でき、そのまま回動部１５を持って回動を続けることで蓋２を押し上げることができ、引き続き回動部１５を持って回動を続けることでヒンジ３を支点として蓋２を開けることができる。すなわち、上記一連の動作を、回動部１５を持ち替えることなく行うことができる。
【００５５】
ここで、密着部同士が上下方向に密着する構成では、蓋を閉じた状態で蓋と容器本体の係合部同士が係合する箇所とそれ以外の箇所で蓋の押圧による上下方向の面圧にばらつきが生じ、密着部同士の密着性が低下し、その結果、気密性が低下する虞がある。しかしながら、本実施形態においては、樹脂突起１４と弾性体９の凸部１３とが径方向に密着する構成を採用しているため、蓋２の押圧による上下方向の面圧のばらつきに関係なく、樹脂突起１４と弾性体９の凸部１３の密着性を径方向に確保でき、その結果、気密性を確保できる。また、このように樹脂突起１４と弾性体９の凸部１３が径方向に密着していると、蓋２を開ける際に、樹脂突起１４が弾性体９の凸部１３に対して径方向に密着しながら上方に移動するため、樹脂突起１４と弾性体９の凸部１３の密着が直ぐには解けないが、上述のように、てこの原理を利用して蓋２を押し上げるため、蓋２を容易に開けることができる。
【００５６】
また、蓋２を閉じるときに回動部１５が下方に垂下していると、回動部１５が容器本体１と蓋２との間に介在し、蓋２を閉じる際の妨げになるが、本実施形態においては、蓋２が開から閉にされる際に、回動部１５が下方へ回動しないように留めるストッパ３２，３３を備え、当該ストッパ３２，３３により回動部１５が下方へ回動しないように留めるため、回動部１５が容器本体１と蓋２との間に入り込み蓋２を閉じる際の妨げになるということはなく、蓋２を容易に閉じることができる。
【００５７】
なお、特許文献１、２にあっては、身容器のフック片と蓋の係合部材が係合する係合幅（前端縁に沿う係合幅）が、身容器及び蓋の前端縁の半分より小さく前端縁の１／３程度とされており、このような構成では、係合部材とフック片を係合し蓋を身容器に強固に密着固定しても、蓋の係合幅の両脇の部分が内部空気の膨張により押し上げられて反りが生じ当該反りの部分から空気が漏れてしまう虞があるが、本実施形態においては、突条２４と突条２３（係合部材とフック片に対応）が係合する係合幅が、容器本体１及び蓋２の前端縁の７割程度とされ前端縁の大半を占めているため、反りの発生が防止され、気密の確保が一層図られている。
【００５８】
以上、本発明をその実施形態に基づき具体的に説明したが、本発明は上記実施形態に限定されるものではなく、例えば、上記実施形態においては、特に好ましいとして、凹部５内に、化粧料Ｍを充填した中皿７を収容するようにしているが、凹部５内に直接化粧料Ｍを充填し収容する化粧料容器に対しても適用可能である。
【００５９】
また、上記実施形態においては、支持部２９の軸部３１の外周面に設けた凸部３２と、回動部１５の端部１８の内周面に設けた凹部３３とにより、ストッパを構成しているが、凹凸は逆であっても良い。
【００６０】
また、上記実施形態においては、特に好ましいとして、容器本体１の凹部５の周囲に弾性体９を、これに対応する蓋２の部分に樹脂突起１４をそれぞれ設け、気密の確保を図っているが、例えば、これとは逆に、容器本体１の凹部５の周囲に樹脂突起を、これに対応する蓋２の部分に弾性体９をそれぞれ設けても良く、さらには、両者とも弾性体９としても良く、要は、各密着部は、凹部５の周囲及びこれに対応する蓋２の部分にそれぞれ設けられ、容器本体１に対して蓋２が閉じられると互いに密着して内部を封止し、少なくとも一方が弾性体より構成されていれば良い。
【００６１】
さらに、上記実施形態においては、蓋２に回動部１５を設け、容器本体１に凹部１６、凹部２０、突出部２１、開動作補助部である上面２６等を設けているが、これとは逆に、蓋２に凹部１６、凹部２０、突出部２１、開動作補助部等を設け、容器本体１に回動部１５を設けるようにしても良い。この場合には、回動部１５の回動部開動作補助部２７が当接する蓋側の開動作補助部は蓋２の下面となる。また、この場合には、使用者が回動部１５を持って下方に回動させることで係合部２３，２４同士の係合を解除でき、そのまま回動部１５を持って回動を続けることで回動部１５の回動部開動作補助部２７が蓋２の開動作補助部となる蓋２の下面に当接し当該蓋２を押し上げることができる。なお、引き続き蓋２を開ける場合には、回動部１５を蓋２に持ち替えて当該蓋２を引き上げることになる。
【符号の説明】
【００６２】
１…容器本体、２…蓋、３…ヒンジ、５…凹部（収容部）、７…中皿、９…弾性体、１３…凸部（容器本体側密着部）、１４…樹脂突起（蓋側密着部）、１５…回動部、２３…突条（係合部）、２４…突条（回動部係合部）、２６…上面（開動作補助部）、２７…凸部（回動部開動作補助部）、３２，３３…ストッパ、１００…化粧料容器、Ｍ…化粧料。
【図１】
2015051192.tif 000003
【図２】
2015051192.tif 000004
【図３】
2015051192.tif 000005
【図４】
2015051192.tif 000006
【図５】
2015051192.tif 000007
【図６】
2015051192.tif 000008
【図７】
2015051192.tif 000009
【図８】
2015051192.tif 000010
【図９】
2015051192.tif 000011
【図１０】
2015051192.tif 000012